(57)【特許請求の範囲】
【請求項１】
貯氷庫の開閉を行う扉を備える製氷機であって、
前記扉が、
前記製氷機の前後方向に回転可能に取り付けられる扉本体と、
断面の両端部が上方に立ち上がり中央に底部を有する形状のハンドルであって、前記扉本体の上縁部の長さ方向に沿って前記底部の裏面側が取り付けられる該ハンドルと、
前記ハンドルの前記底部の上面の一部分だけに設けられ、前記ハンドルの長手方向に延長し且つ上方が開口する溝と、
該溝の底部において、該溝の延長方向に並んで前記ハンドルを前記扉本体に固定する複数の固定手段と、
前記溝に嵌合して該溝及び前記複数の固定手段を覆う上面が平坦な単一のキャップと、を備え、
前記ハンドルの前記断面の前側端部は後側端部よりも大きく上方に立ち上り、
前記前側端部は掴み部分として機能し、
前記キャップが前記溝に嵌合して閉じられた状態において、前記溝の周囲部分の上面と前記キャップの上面とがフラットになる、扉を備える製氷機。
【請求項２】
前記ハンドル掴み部分側の前記溝の部分と前記キャップとの間には、該キャップの閉状態を保持するロック手段を有し、
前記ハンドル掴み部分側とは逆側の前記溝の部分と前記キャップとの間には、前記キャップを回動自在に支持するヒンジ手段を有する請求項１に記載の製氷機。
【請求項３】
前記キャップは、前記溝の底まで延びる縦延長部を有することを特徴とする請求項１または２に記載の製氷機。
【請求項４】
前記貯氷庫側の前記ハンドルの下部には、水を前記貯氷庫に落下させないように案内する突起が形成されていることを特徴とする請求項１〜３のいずれか１項に記載の製氷機。
【発明の詳細な説明】
【０００１】
【発明の属する技術分野】
本発明は、回動式の扉に関するものである。
【０００２】
【従来の技術】
図４に従来の製氷機における回動式の扉部分に関する側面を示す。製氷機の天板１の前端下部には、上部フロントパネル３が取り付けられている。さらに、上部フロントパネル３の下方には、貯氷庫５を開閉する扉７が設けられている。扉７は、図中矢印に示すように製氷機前後方向に回動可能となっている。扉７の上縁部には、ハンドル９がビス１１を介して取り付けられている。ハンドル１１は、縦断面がほぼＵ字状に形成されており、その底部においてビス１１により扉本体に固定されている。利用者は、扉７の開け閉めをする際、このハンドル９に指を掛けて扉７を動かす。
【０００３】
【発明が解決しようとする課題】
しかしながら、上述した従来の回動式の扉においては、ハンドル９を固定するビス１１がハンドル９の上面に露出していた。このため、利用者が扉を開け閉めするためハンドル９を掴む際、ビス１１にも触れることが多く、ビス１１が汚れ易かった。そして、ビス１１はハンドル９の上面から突出しているため、清掃の際には、ビス１１とハンドル上面との隙間に入った汚れや、ビス１１をドライバ等で回すための溝に付着した汚れなどが除去しにくいといった問題がある。
従って、本発明は、このような従来の問題に鑑みてなされたものであり、ハンドル固定用のねじ手段例えばビスが汚れるのを防止することができる回動式の扉を提供することを目的とする。
【０００４】
【課題を解決するための手段】
上述の目的を達成するため、本発明の製氷機は、貯氷庫の開閉を行う扉を備える製氷機であって、前記扉が、前記製氷機の前後方向に回転可能に取り付けられる扉本体と、断面の両端部が上方に立ち上がり中央に底部を有する形状のハンドルであって、前記扉本体の上縁部の長さ方向に沿って前記底部の裏面側が取り付けられる該ハンドルと、前記ハンドルの前記底部の上面の一部分だけに設けられ、前記ハンドルの長手方向に延長し且つ上方が開口する溝と、該溝の底部において、該溝の延長方向に並んで前記ハンドルを前記扉本体に固定する複数の固定手段と、前記溝に嵌合して該溝及び前記複数の固定手段を覆う上面が平坦な単一のキャップと、を備え、前記ハンドルの前記断面の前側端部は後側端部よりも大きく上方に立ち上り、前記前側端部は掴み部分として機能し、前記キャップが前記溝に嵌合して閉じられた状態において、前記溝の周囲部分の上面と前記キャップの上面とがフラットになる、扉を備える。
なお、前記ハンドル掴み部分側の前記溝の部分と前記キャップとの間には、該キャップの閉状態を保持するロック手段を有し、前記ハンドル掴み部分側とは逆側の前記溝の部分と前記キャップとの間には、前記キャップを回動自在に支持するヒンジ手段を有すると好適である。
また、前記キャップは、前記溝の底まで延びる縦延長部を有すると好適である。
さらに、本発明の製氷機は、前記貯氷庫側の前記ハンドルの下部に、水を前記貯氷庫に落下させないように案内する突起が形成されていると好適である。
【０００５】
【発明の実施の形態】
以下、この発明の回動式の扉を自動製氷機の貯氷庫開閉用の扉に適用した場合の実施の形態について添付図面に基づいて説明する。図１は、製氷機における回動式の扉部分近傍の側面図である。製氷機２１の天板２３の前端下部には、上部フロントパネル２５が取り付けられている。さらに、上部フロントパネル２５の下方には、貯氷庫２７を開閉する扉２９が設けられている。扉２９は、図中矢印に示すように製氷機前後方向に回動可能となっている。図２及び図３に示されるように、扉２９と製氷機本体との間には、一組のパッキン３１，３３が設けられている。一方のパッキン３１は扉２９の後面に取り付けられており、他方のパッキン３３は前枠３５に取り付けられている。図２及び図３に示されるように扉２９が閉められた状態で、一方のパッキン３１の窪み３１ａと他方のパッキン３３の突起３３ａが嵌合するようになっている。
【０００６】
扉２９は、扉本体３７とその上縁部に取り付けられるハンドル３９とを備えている。ハンドル３９はその前部が上方に大きく立ち上がっており、この部分が開閉時利用者の指４０が掛けられるハンドル掴み部分４１として機能する。また、ハンドル３９には紙面表裏方向に延長し且つ上方が開口した溝４３が形成されている。溝４３は深さ方向よりも前後（奥行）方向の方が大きい縦断面形状を有する。ハンドル３９は溝４３の底部を画定する部分において、固定手段すなわち紙面表裏方向に並ぶ複数のビス４５によって扉本体３７に固定されている。なお、本実施の形態では、ビス４５は２〜４本である。また、ハンドル３９の後部（貯氷庫側）には、水案内用突起４６が下方に延びている。
【０００７】
また、ハンドル３９には、単一のキャップ４７が設けられている。キャップ４７は、回動可能に支持されており、閉じられた状態で図３に示されるようにビス４５の頭部及び溝４３を覆う。キャップ４７は、閉じられた状態において、先端が溝４３の底まで延びる縦延長部４９と溝４３の開口を塞ぐように延びる横延長部５１とからなる縦断面がほぼＬ字状の部材であり、ハンドル３９と一体押出成形により形成されている。キャップ４７が閉じられた際、横延長部５１の上面は、ハンドル３９における溝４３の周囲部分５３の上面と面一になり、ハンドル３９における指４０の接触する面はフラットで凹凸がないようになっている。
【０００８】
溝４３の画定部のうちハンドル掴み部分４１側の部分と、閉じられた際のキャップ４７の縦延長部４９との間には、キャップ４７の閉状態を保持するロック手段が設けられている。ロック手段は、溝４３の画定部分に設けられた凹部５５と縦延長部４９に設けられ且つ凹部５５と嵌合する凸部５７とから構成される。凹部５５の深さ方向は、溝４３の深さ方向と直交する方向に設定されている。溝４３の画定部のうちハンドル掴み部分４１側の逆側の部分と、キャップ４７の横延長部５１との間には、キャップ４７及びハンドル３９と一体成形されたヒンジ５９が設けられている。ヒンジ５９は、キャップ４７やハンドル３９と比較して軟質部材から形成されておりキャップ４７を回動自在に支持する。
【０００９】
次に、本実施の形態における回動式の扉の作用について説明する。扉２９の組み立てに際しては、図２に示されるようにキャップ４７を貯氷庫側に揺動して開くと溝４３の底部に固定用ビス穴が見えるので、かかる穴にビス４５を挿入して締め付けることにより、ハンドル３９が扉本体３７に固定される。ビス４５の締付後はキャップ４７をハンドル掴み部分４１側に押さえることにより容易にキャップ４７を閉じることができ、また、凹部５５と凸部５７との嵌合により、キャップ４７がロックされる。このようにして、ビス４５はキャップ４７により覆われるので、ビス４５が汚れることを防止することができる。しかも、溝４３の延長方向に並ぶ複数のビス４５を一つのキャップ４７で容易に覆うことが可能である。
【００１０】
キャップ４７が閉じられた状態では、ハンドル３９におけるキャップ４７の上面とその周囲部の上面とは、フラットになり従来のようにビスの張り出しもないことから、清掃し易く衛生的である。また、キャップ４７の凸部５７がそれと同形状の凹部５５に嵌ることにより、確実にキャップ４７を閉めることができ、キャップ４７とその周囲部分との隙間から溝４３内にゴミ等が侵入することを防止することができる。また、図３に示されるように凹部５５及び凸部５７からなるロック手段が利用者の指４０が掛る部分のほぼ下方に設けられているため、上方から指４０により押されてもキャップ４７が沈み込むことを防止することができる。さらに、キャップ４７は溝４３の底部まで延長する縦延長部４９を備えた縦断面がほぼＬ字状の部材からなるため、それによっても、上方から指４０により押された際、キャップ４７が沈み込むことを防止することができ、キャップ４７に十分な強度が確保されると共に、ハンドル３９におけるキャップ４７とその周囲面がフラットに保たれる。さらに、ヒンジ５９は、軟質部材により構成されているのでキャップ４７の開閉が容易になっており、その一方、軟質部材のために強度的には有利ではないところ、本実施の形態では、ヒンジ５９は溝４３の画定部のうちハンドル掴み部分４１側の逆側の部分とキャップ４７の横延長部５１との間に設けられているので、図３に示されるように通常の扉開閉時に指４０がヒンジ５９に掛ることがなく、軟質部材であってもヒンジ５９の破損が生じにくいようになっている。
【００１１】
また、ハンドル３９とキャップ４７とを一体成形しているため、キャップ４７がハンドル３９から分離して紛失する恐れがないと共に、組立工数の低減を図ることができる。さらに、製作に際しては、金型が一つで済み金型費の節減を図ることもできる。
【００１２】
また、ハンドル３９の後部には水案内用突起４６が設けられているため、図３に示されるように、ハンドル３９の後面から汚水が垂れた場合に水案内用突起４６がかかる汚水を扉手前側すなわち貯氷庫２７と離れる側に案内するため、パッキン３３を乗り越えて汚水が貯氷庫内に浸入することを防止することができ、衛生的である。さらに、かかる水案内用突起４６を設けることによりその分ハンドル３９の強度が増加される。
【００１３】
【発明の効果】
以上説明したように、本発明の回動式の扉によれば、複数の固定手段はキャップにより覆われるので、固定手段が汚れることを防止することができる。また、ロック手段が利用者の指が掛る部分に設けられているため、上方から指により押されてもキャップが沈み込むことを防止することができる。さらに、ヒンジ手段は利用者の指が掛る部分から離れた部位にあるため、扉開閉時に指がヒンジに掛ることがなく、ヒンジの破損を防止することもできる。
【図面の簡単な説明】
【図１】  本発明の実施の形態に関し製氷機の扉上部近傍の側面図である。
【図２】  扉のハンドル近傍の側面図であって、キャップが開いた状態を示す図ある。
【図３】  扉のハンドル近傍の側面図であって、キャップが閉じた状態を示す図ある。
【図４】  従来の製氷機の扉上部近傍の側面図である。
【符号の説明】
２７…貯氷庫、２９…扉、３７…扉本体、３９…ハンドル、４３…溝、４５…ビス（固定手段）、４６…突起、４７…キャップ、４９…縦延長部、５１…横延長部、５５…凹部（ロック手段）、５７…凸部（ロック手段）、５９…ヒンジ手段。
【図１】
0004545290.tif 000002
【図２】
0004545290.tif 000003
【図３】
0004545290.tif 000004
【図４】
0004545290.tif 000005